(57)【要約】【課題】  風圧低減効果が優れる絶縁電線を提供する。【解決手段】  導体２の上に絶縁体よりなる被覆層３を有する絶縁電線１において、電線外周の一部を山形に突出させて形成した突出部４，５を互いに対向する位置に一対設け、該一対の突出部４，５と該一対の突出部以外の部分６，７とが段差なく連続するように電線外周面１ａ，１ｂを形成した。さらに、一対の突出部４，５のそれぞれを、互いに同方向となるように電線長手方向へ向かって螺旋状に形成することにより、難着雪効果をも有する。【選択図】  図１
2006120362.tif 000002
【特許請求の範囲】
【請求項１】
導体の上に絶縁体よりなる被覆層を有する絶縁電線において、
電線外周の一部を山形に突出させて形成した突出部を互いに対向する位置に一対設け、該一対の突出部と該一対の突出部以外の部分とが段差なく連続するように電線外周面を形成したことを特徴とする絶縁電線。
【請求項２】
前記一対の突出部のそれぞれを、互いに同方向となるように電線長手方向へ向かって螺旋状に形成したことを特徴とする請求項１に記載の絶縁電線。
【発明の詳細な説明】
【技術分野】
【０００１】
本発明は、導体の上に絶縁体よりなる被覆層を有する絶縁電線において、特に風圧の低減を図ることのできる絶縁電線に関する。
【背景技術】
【０００２】
屋外等に架空布設された絶縁電線に風が当たると、絶縁電線の風下側にカルマン渦が発生し、渦発生部分の気圧が低くなるため、風上側との気圧差によって大きな風圧が発生する。したがって、強風が吹いたような場合には、このようなカルマン渦によって発生する風圧により、断線や電柱などの電線支持体の倒壊などといった被害をもたらすおそれがある。
【０００３】
従来、このようなカルマン渦の発生を抑制して風圧の低減を図るための電線として、例えば特許文献１には、外周に凹凸を設けた電線が開示されている。かかる特許文献１に記載の電線によれば、外周に設けられた凹凸によって、電線表面を流れる風の流れに乱れを生じさせ、カルマン渦の減少を図ろうとしている。
【特許文献１】特開２００１−１１８４３４号公報
【発明の開示】
【発明が解決しようとする課題】
【０００４】
しかしながら、上記のように外周に凹凸を設けた電線によれば、電線外周面が平滑な電線に比べればカルマン渦の発生を減少させることができるが、減少の程度が十分ではなく、満足のいく風圧低減効果を得ることができないおそれがある。また、凹部に雨滴や埃が進入して堆積し、凹部が埋められてしまって電線外周面が平滑となり、初期の効果を得ることができなくなるおそれがある。
【０００５】
また、絶縁電線が屋外に架空布設される場合、降雪によって電線表面に雪が付着し、電線表面において着雪が成長して雪の重みで断線等の被害が生じるおそれもある。しかしながら、上記特許文献１に記載の電線では、風圧の低減はできても、難着雪効果を得ることはできず、雪の重みによって断線等の被害が生じるおそれがある。
【０００６】
本発明の目的は、優れた風圧低減効果を得ることができる絶縁電線を提供することにある。
【０００７】
本発明の他の目的は、風圧低減効果が優れるとともに、難着雪効果をも得ることができる絶縁電線を提供することにある。
【課題を解決するための手段】
【０００８】
上記課題を解決するために、請求項１に記載の絶縁電線は、導体の上に絶縁体よりなる被覆層を有する絶縁電線において、電線外周の一部を山形に突出させて形成した突出部を互いに対向する位置に一対設け、該一対の突出部と該一対の突出部以外の部分とが段差なく連続するように電線外周面を形成したことを特徴とする。
【０００９】
このような請求項１に記載の発明では、電線外周の対向位置に山形の突出部が一対設けられ、該突出部と突出部以外の部分との間が段差なく連続するようにして電線外周面が形成されているので、各突出部が並ぶ方向と平行な方向に電線表面を流れる空気の流れがスムーズなものとなり、カルマン渦の発生が抑制され風の抵抗を低減させることができる。
【００１０】
請求項２に記載の絶縁電線は、請求項１に記載の前記一対の突出部のそれぞれを、互いに同方向となるように電線長手方向へ向かって螺旋状に形成したことを特徴とする。
【００１１】
このような請求項２に記載の発明では、電線外周には、電線長手方向に同方向に螺旋状に一対の突出部が形成されているので、降雪時、電線表面に一旦付着した雪が落下しやすく、電線外周上において着雪が成長することが防止される。
【発明の効果】
【００１２】
請求項１に記載の発明によれば、電線表面を流れる空気の流れがスムーズなものとなって風の抵抗を低減させることができ、風圧低減効果の優れた絶縁電線を得ることができる。また、従来のように電線表面に凹凸を設けることにより風圧低減効果をねらったものではないことから、従来問題となっていた凹部が埋まって風圧低減効果が得られなくなるおそれがあるといったことがなく、安定して風圧低減効果を維持することができる。
【００１３】
請求項２に記載の発明によれば、電線外周に電線長手方向に螺旋状に形成された一対の突起により着雪の成長を防止することができ、風圧低減効果のみならず、難着雪効果をも得ることができる。
【発明を実施するための最良の形態】
【００１４】
以下、図面を参照して本発明を実施するための最良の形態の一例について説明する。 
図１は本発明に係る絶縁電線の実施の形態の一例を示す図であり、（Ａ）は断面図、（Ｂ）は斜視図、図２は図１に示す絶縁電線における空気の流れの様子を示す図である。
【００１５】
図において、本例の絶縁電線１は、軟銅線などの素線を複数本撚り合わせて構成される導体２の上に絶縁体を被覆して被覆層３を形成することにより構成されている。
【００１６】
被覆層３には、電線外周の一部を左右対称な山形（先細り形状）に突出させて形成した突出部４，５が一対設けられている。これら一対の突出部４，５は、電線外周における一対の突出部４，５以外の部分である円弧部を挟んで両側に互いに対向する位置に形成され、また、一対の突出部４，５は、各突出部４，５の頂点を結ぶ線が、絶縁電線１の略中心部を通るように形成されている。これにより、絶縁電線１の外周面は、一側の電線外周面１ａと他側の電線外周面１ｂとで構成され、各電線外周面１ａ，１ｂは、突出部４と円弧部６，７、および突出部５と円弧部６，７が、段差なく連続するように平滑に形成されている。言い換えれば、電線外周面１ａ，１ｂは流線形となっている。そして、本例では、円弧部６，７の両端から接線方向に直線状に延びるようにして突出部４，５が形成されている。このようにして形成された被覆層３は、断面形状が略眼形状となっている。
【００１７】
また、一対の突出部４，５は、電線長手方向に螺旋状に形成されている。そして、各突出部４，５は、それぞれ同方向に螺旋状に形成されている。
【００１８】
次に、このように構成された本例の絶縁電線１における作用について説明する。 
本例の絶縁電線１においては、電線外周に山形の突出部４，５が互いに対向する位置に一対設けられ、これら突出部４，５と円弧部６，７とが段差なく連続するように電線外周面１ａ，１ｂが形成されているので、図２に示すように、突出部４，５が並んでいる方向と平行な方向に電線表面を流れる空気の流れがスムーズなものとなる。これにより、カルマン渦の発生が抑制され風の抵抗を低減させることができる。
【００１９】
また、本例の絶縁電線１においては、電線外周には、電線長手方向に螺旋状に突出部４，５が形成されているので、電線表面に一旦付着した雪が落下しやすく、電線外周上において着雪が成長することが防止される。
【００２０】
以上のことから、本例の絶縁電線１によれば、優れた風圧低減効果を有するとともに、難着雪効果をも得ることができる。また、従来のように電線表面に凹凸を設けることにより風圧低減効果をねらったものではないことから、従来問題となっていた凹部が埋まって風圧低減効果が得られなくなるおそれがあるといったことがなく、安定して風圧低減効果を維持することができる。
【００２１】
また、このような風圧低減効果と難着雪効果とを同時に得ることができる形状は、被覆層３の形成時、導体２上に絶縁体を押出被覆するときに形成することができる。したがって、風圧低減効果と難着雪効果とを同時に有する本例の絶縁電線１を容易に製造することができる。
【００２２】
以上説明した本例の絶縁電線１では、円弧部６，７の両端から一対の突出部４，５が直線状に延びるように形成されているが、これに限らず、例えば、一対の突出部４，５を円弧部６，７の両端から凹曲面となるように形成してもよい。また、突出部４，５の頂点は丸く形成してもよい。
【００２３】
さらに、風圧低減効果だけを有すればよい場合には、一対の突出部４，５は、螺旋状に形成されていなくてもよく、電線長手方向に沿って直線状に形成されていてもよい。
【００２４】
また、上記実施の形態の説明においては、導体２の上に被覆層３のみを有する絶縁電線１を例にして説明したが、本発明の絶縁電線はこのような構成に限られるものではなく、例えば、導体の上に被覆層として絶縁層を有し、さらに絶縁層の上に被覆層としてシースを有するケーブルであってもよい。
【図面の簡単な説明】
【００２５】
【図１】本発明に係る絶縁電線の実施の形態の一例を示す図であり、（Ａ）は断面図、（Ｂ）は斜視図である。
【図２】図１に示す絶縁電線における空気の流れの様子を示す図である。
【符号の説明】
【００２６】
１    絶縁電線
１ａ，１ｂ    電線外周面
２    導体
３    被覆層
４，５    突出部
６，７    円弧部
【図１】
2006120362.tif 000003
【図２】
2006120362.tif 000004